(57)【要約】【課題】複数の外部装置（負荷回路）の制御信号を１つの電源監視ＩＣを用いて引込むことができる負荷回路の誤動作防止回路及びそれを備えた画像形成装置を提供する。【解決手段】誤動作防止回路１００は、複数の制御線を介して負荷回路９１０の制御信号を出力するマイコン９００と、マイコン９００に電源電圧Ｖｃｃを供給する電源と、電源監視ＩＣ１１０と、ダイオード群１２０とを含み、電源監視ＩＣは、電源電圧Ｖｃｃが検出電圧以下であれば、ダイオード群１２０が相互接続されたノードｎｄ４を接地し、検出電圧は、マイコン９００が正常に動作可能な電源電圧の下限値以上である。これにより、マイコンが複数の制御線信号を１つの電源監視ＩＣを用いて引込むことができるので、部品点数が少なく回路構成が簡単な誤動作防止回路を実現することができる。【選択図】図４
2015052961.tif 000002
【特許請求の範囲】
【請求項１】
複数の制御線を介して、複数の負荷回路を制御するための制御信号を出力する制御手段と、
前記制御手段を動作させるための電源電圧を供給する電源と、
前記電源電圧を監視する監視手段と、
一端が複数の前記制御線の各々に１対１に接続され、他端が相互に接続され、前記一端及び前記他端の間に第１の電圧が印加されると、前記一端から前記他端に向かって電流を流す複数の第１のダイオードとを含み、
前記監視手段は、前記電源電圧が所定の検出電圧以下であれば、前記第１のダイオードの相互接続された前記他端を接地し、
前記検出電圧は、前記制御手段が正常に動作可能な電源電圧の下限値以上であることを特徴とする誤動作防止回路。
【請求項２】
複数の前記制御線の各々と、前記制御線が接続される負荷回路の入力端との間に配置される複数の第２のダイオードをさらに含み、
複数の前記第２のダイオードの各々は、一端が複数の前記制御線の各々に１対１に接続され、他端が前記負荷回路の入力端に接続され、前記第２のダイオードの一端及び他端の間に第２の電圧が印加されると、前記第２のダイオードの一端から他端に向かって電流を流し、
前記第１の電圧は、前記第２の電圧よりも小さいことを特徴とする請求項１に記載の誤動作防止回路。
【請求項３】
複数の前記制御線の各々と、前記制御線が接続される前記制御手段の出力端との間に配置される複数の第３のダイオードと、
複数の前記制御線の各々と前記電源とを接続する複数の抵抗とをさらに含み、
複数の前記第３のダイオードの各々は、一端が複数の前記制御線の各々に１対１に接続され、他端が前記制御手段の出力端に接続され、前記第３のダイオードの一端及び他端の間に第３の電圧が印加されると、前記第３のダイオードの一端から他端に向かって電流を流すことを特徴とする請求項１又は２に記載の誤動作防止回路。
【請求項４】
前記第３の電圧は、前記第２の電圧よりも小さいことを特徴とする請求項３に記載の誤動作防止回路。
【請求項５】
前記第１のダイオードの相互接続された前記他端と前記監視手段との間に電流増幅手段をさらに含み、
前記電流増幅手段は、前記電源電圧が前記検出電圧以下であれば、前記監視手段が、前記電流増幅手段の入力端を接地することを受けて、前記第１のダイオードの相互接続された前記他端を接地することを特徴とする請求項１から４の何れか１項に記載の誤動作防止回路。
【請求項６】
前記電源電圧が、前記制御手段が正常に動作可能な電源電圧の上限値を超えることを監視する過電圧監視手段をさらに含み、
前記過電圧監視手段は、前記電源電圧が所定の上限検出電圧以上であれば、前記第１のダイオードの相互接続された前記他端を接地し、
前記上限検出電圧は、前記検出電圧よりも大きく、前記制御手段が正常に動作可能な電源電圧の前記上限値以下であることを特徴とする請求項１から５の何れか１項に記載の誤動作防止回路。
【請求項７】
請求項１から６の何れかの誤動作防止回路と、
記録紙に画像を形成する画像形成手段とを含み、
前記誤動作防止回路は、前記画像形成手段による記録紙への画像形成において使用される負荷回路に接続されることを特徴とする画像形成装置。
【発明の詳細な説明】
【技術分野】
【０００１】
本発明は、電源のオン及びオフ時等に、マイコン等の制御装置に供給される電源電圧が推奨動作電圧から逸脱した状態において、制御装置によって制御される負荷回路の誤動作防止回路及びそれを備えた画像形成装置に関する。
【背景技術】
【０００２】
電子機器である画像処理装置の１種として、記録紙に画像を形成する画像形成装置（代表的にはコピー機）が知られている。画像形成装置の１種である複合機（ＭＦＰ（ＭｕｌｔｉＦｕｎｃｔｉｏｎ  Ｐｅｒｉｐｈｅｒａｌ））は、コピー機能、ファクシミリ（以下、ファクシミリをＦＡＸともいう）機能、ネットワーク対応のプリント機能、及びスキャナ機能等、複数の機能を備える。
【０００３】
画像形成装置においては、所定の機能を実現するために、マイコン等の制御部を備え、制御部によって各構成部の動作が制御される。例えば、画像形成装置が、原稿を複写（コピー）する指示を受けた場合には、制御部は、原稿読取装置（スキャナ）の光源及び読取センサ（ＣＣＤ等）を制御して、原稿から画像データを生成する。制御部は、生成した画像データにしたがって、感光体ドラム上にトナー画像を形成し、このトナー画像を、給紙トレイから引出して搬送した記録紙に転写する。制御部は、トナー画像が転写された記録紙を加圧及び加熱し、トナー画像を記録紙に定着させた後、排紙トレイに排出する。また、画像形成装置がＦＡＸ送信の指示を受けた場合には、制御部は、読取った画像データをＦＡＸ通信形式のデータに変換した後、内部のモデムを制御して通信回線を介して外部のＦＡＸ装置と通信を確立して、送信する。
【０００４】
このように、画像形成装置が所定の機能を実現するためには、図１に示すように、各機能に関連する内部ユニットが、制御部によって適切に制御されなければならない。例えば、画像形成装置が複写機能を実現するためには、記録紙の搬送用ローラ、感光体ドラム、転写ベルト及び転写ローラ等の回転モータ、光源、読取センサ、帯電器、並びに、ヒータ等の負荷回路は、制御部によって適切に制御されなければならない。
【０００５】
図１において、第１負荷回路〜第Ｎ負荷回路９１０はそれぞれ、マイコン９００の出力ポートＰＯＲＴ  １〜ＰＯＲＴ  Ｎから、所定のタイミングで適切なレベルの制御信号が入力されることによって、正常動作を行なうことができる。マイコン９００が正常に動作するためには、マイコン９００に供給される電源電圧Ｖｃｃが適切な範囲（推奨動作電圧Ｖｍｉｎ〜Ｖｍａｘ）であることが要求される。
【０００６】
図１の制御回路を備えた画像形成装置の電源がオン又はオフされる過渡期には、マイコンに供給される電源電圧Ｖｃｃは、図２に示すように変化する。即ち、電源がオンされた直後の期間ｔ１、及び、電源がオフされた後の期間ｔ２では、０≦Ｖｃｃ＜Ｖｍｉｎである。本来、電源がオンされた直後から電源電圧Ｖｃｃ＝Ｖｍｉｎになるまでの期間ｔ１においては、マイコン９００の出力ポートの電圧Ｖｐｏｒｔは、Ｖｐｏｒｔ＝０であることが好ましい。また、電源がオフされた後、電源電圧Ｖｃｃ＝Ｖｍｉｎとなってから電源電圧Ｖｃｃ＝０になるまでの期間ｔ２においても、Ｖｐｏｒｔ＝０であることが好ましい。しかし、期間ｔ１及びｔ２においては、マイコン９００の内部状態が不定となっており、マイコン９００の出力ポートＰＯＲＴ  １〜ＰＯＲＴ  Ｎが、意図しない論理レベルになることがある（図２において１点鎖線で囲まれた部分参照）。これによって、第１負荷回路〜第Ｎ負荷回路９１０が誤動作してしまう可能性がある。
【０００７】
この問題を解決するための技術が知られている。例えば、下記特許文献１には、図３に示す回路が開示されている。電子機器１は、ＣＰＵ２、ＥＥＰＲＯＭ３、リセットＩＣ４、第１ダイオード５、及び第２ダイオード６を備えている。ＥＥＰＲＯＭ３は、マスタデバイスであるＣＰＵ２によって制御されてデータを記録するスレーブデバイス（負荷装置）である。リセットＩＣ４は、電源電圧Ｖｃｃを検知し、電源電圧Ｖｃｃが規定電圧以下になるとローレベルのリセット信号を出力する汎用のＩＣである。リセットＩＣは、電子機器１の起動時、又は停止時に、ＣＰＵ２が不確実な動作をしないようにするためのものである。ＣＰＵ２から出力される、ＥＥＰＲＯＭ３を制御するためのクロック信号（ＳＣＬ）７は、第１ダイオード５を介してリセットＩＣ４に電気的に接続されている。
【０００８】
動作中の電子機器１の電源がオフになった場合、電源電圧が徐々に低下し、リセットＩＣ４は、ＣＰＵ２に対してアクティブローのリセット信号を出力する。これによって、ＣＰＵ２の出力ポートは初期状態となり、ＳＣＬ７はハイインピーダンスになるが、ＳＣＬ７に残存する電荷は、第１ダイオード５を介してリセットＩＣ４に引込まれて、ＳＣＬ７のレベルはローレベルになる。したがって、ＥＥＰＲＯＭ３がデータ・アドレス信号線（ＳＤＡ）８からの誤ったデータを記録してしまうような誤動作を回避することができる。
【先行技術文献】
【特許文献】
【０００９】
【特許文献１】特開２００５−３３８９６３号公報
【発明の概要】
【発明が解決しようとする課題】
【００１０】
しかし、特許文献１は、ＣＰＵ２が複数のデバイスを制御する場合に関しては、何も開示していない。画像形成装置のように、制御装置（マイコン等）で複数の外部装置（負荷回路）を制御する構成において、制御装置に規定の電源電圧が供給されないことによる誤動作を回避するためには、従来技術では、図１と同様に、１つの外部装置に対して１つのリセットＩＣ（電源監視ＩＣ）を備えて制御装置の出力信号を引込む必要がある。そのため、回路部品の数が多く、複雑な回路構成となる問題がある。
【００１１】
したがって、本発明は、複数の外部装置（負荷回路）の制御信号を１つの電源監視ＩＣを用いて引込むことができる負荷回路の誤動作防止回路及びそれを備えた画像形成装置を提供することを目的とする。
【課題を解決するための手段】
【００１２】
本発明に係る誤動作防止回路は、複数の制御線を介して、複数の負荷回路を制御するための制御信号を出力する制御部と、制御部を動作させるための電源電圧を供給する電源と、電源電圧を監視する監視部と、一端が複数の制御線の各々に１対１に接続され、他端が相互に接続され、一端及び他端の間に第１の電圧が印加されると、一端から他端に向かって電流を流す複数の第１のダイオードとを含む。監視部は、電源電圧が所定の検出電圧以下であれば、第１のダイオードの相互接続された他端を接地し、検出電圧は、制御部が正常に動作可能な電源電圧の下限値以上である。
【００１３】
好ましくは、誤動作防止回路は、複数の制御線の各々と、制御線が接続される負荷回路の入力端との間に配置される複数の第２のダイオードをさらに含む。複数の第２のダイオードの各々は、一端が複数の制御線の各々に１対１に接続され、他端が負荷回路の入力端に接続され、第２のダイオードの一端及び他端の間に第２の電圧が印加されると、第２のダイオードの一端から他端に向かって電流を流し、第１の電圧は第２の電圧よりも小さい。
【００１４】
より好ましくは、誤動作防止回路は、複数の制御線の各々と制御線が接続される制御部の出力端との間に配置される複数の第３のダイオードと、複数の制御線の各々と電源とを接続する複数の抵抗とをさらに含む。複数の第３のダイオードの各々は、一端が複数の制御線の各々に１対１に接続され、他端が制御装置の出力端に接続され、第３のダイオードの一端及び他端の間に第３の電圧が印加されると、第３のダイオードの一端から他端に向かって電流を流す。
【００１５】
さらに好ましくは、第３の電圧は第２の電圧よりも小さい。
【００１６】
好ましくは、誤動作防止回路は、第１のダイオードの相互接続された他端と監視部との間に電流増幅部をさらに含み、電流増幅部は、電源電圧が検出電圧以下であれば、監視部が、電流増幅部の入力端を接地することを受けて、第１のダイオードの相互接続された他端を接地する。
【００１７】
より好ましくは、誤動作防止回路は、電源電圧が、制御部が正常に動作可能な電源電圧の上限値を超えることを監視する過電圧監視部をさらに含み、過電圧監視部は、電源電圧が所定の上限検出電圧以上であれば、第１のダイオードの相互接続された他端を接地し、上限検出電圧は、検出電圧よりも大きく、制御部が正常に動作可能な電源電圧の上限値以下である。
【００１８】
本発明に係る画像形成装置は、上記の誤動作防止回路と、記録紙に画像を形成する画像形成部とを含み、誤動作防止回路は、画像形成部による記録紙への画像形成において使用される負荷回路に接続される。
【発明の効果】
【００１９】
本発明によれば、マイコン（制御装置）が複数の外部装置（負荷回路）を制御するための複数の制御信号を１つの電源監視ＩＣを用いて引込むことができるので、部品点数が少なく回路構成が簡単な誤動作防止回路を実現することができる。
【図面の簡単な説明】
【００２０】
【図１】従来のマイコンによる複数の負荷回路の制御を示す回路図である。
【図２】図１の回路に関して、電源オン及びオフの過渡期におけるマイコンの各出力ポートの電圧異常を示すタイミングチャートである。
【図３】従来の誤動作防止回路を含む電子機器を示す回路図である。
【図４】本発明の第１の実施の形態に係る負荷回路の誤動作防止回路を示す回路図である。
【図５】図４の回路に関して、電源オン及びオフの過渡期におけるマイコンの各出力ポートの電圧を示すタイミングチャートである。
【図６】図４とは別の誤動作防止回路を示す回路図である。
【図７】本発明の第２の実施の形態に係る負荷回路の誤動作防止回路を示す回路図である。
【図８】本発明の第３の実施の形態に係る負荷回路の誤動作防止回路を示す回路図である。
【図９】図８の過電圧検出用電源監視ＩＣの代替回路を示す回路図である。
【発明を実施するための形態】
【００２１】
以下の実施の形態では、同一の部品には同一の参照番号を付してある。それらの名称及び機能も同一である。したがって、それらについての詳細な説明は繰返さない。
【００２２】
（第１の実施の形態）
図４を参照して、本発明の第１の実施の形態に係る負荷回路の誤動作防止回路１００は、電源監視ＩＣ１１０と、第１ダイオード群１２０と、第２ダイオード群１３０と、第３ダイオード群１４０と、抵抗Ｒ１〜ＲＮとを備えている。電源監視ＩＣ１１０は、監視対象の入力端子Ｖｉｎの電圧（以下、入力電圧Ｖｉｎとも記載する）を所定の基準電圧（以下、検出電圧という）Ｖｔｈと比較し、入力電圧Ｖｉｎが検出電圧Ｖｔｈ以下であれば、リセット信号を出力する公知のＩＣである。即ち、Ｖｉｎ≦Ｖｔｈであれば、所定の端子をローレベルに設定する。ここでは、電源監視ＩＣ１１０は、検出電圧Ｖｔｈを生成するための基準電圧生成回路を内蔵しているとする。監視対象の入力電圧Ｖｉｎは、マイコン９００に供給される電源電圧Ｖｃｃであり、Ｖｉｎ≦Ｖｔｈの場合に、リセット端子ＲＥＳＥＴをローレベルに設定する。また、検出電圧Ｖｔｈは、マイコン９００の最小動作電圧（推奨動作電圧の下限値）Ｖｍｉｎ以下の電源電圧が入力された場合に、電源監視ＩＣ１１０がマイコン９００の出力ポートをローレベルに設定することができるように、最小動作電圧Ｖｍｉｎ以上に設定されている（Ｖｔｈ≧Ｖｍｉｎ）。
【００２３】
第１ダイオード群１２０を構成する第１ダイオード１２２、１２４、及び１２６等、並びに、第３ダイオード群１４０を構成する第３ダイオード１４２、１４４、及び１４６等は、ショットキーバリアダイオードである。第２ダイオード群１３０を構成する第２ダイオード１３２、１３４、及び１３６等は、ＰＮダイオードである。
【００２４】
第１ダイオード１２２、１２４、及び１２６等のカソードは全て、電源監視ＩＣ１１０のリセット端子ＲＥＳＥＴに接続されている。第２ダイオード１３２、１３４、及び１３６等のカソードはそれぞれ、第１〜第Ｎ負荷回路９１０の制御入力端子に接続されている。
【００２５】
第３ダイオード１４２、１４４、及び１４６等のカソードは、マイコン９００の各出力ポートＰＯＲＴ  １〜ＰＯＲＴ  Ｎに接続され、アノードは、各抵抗Ｒ１〜ＲＮを介して電源ラインに接続され、電圧Ｖｃｃが供給される。第１〜第３ダイオード群の対応するダイオードのアノードは相互に接続されている。例えば、第１ダイオード１２２、第２ダイオード１３２及び第３ダイオード１４２のアノードは相互に接続されている。また、第１ダイオード１２４、第２ダイオード１３４及び第３ダイオード１４４のアノードは相互に接続されている。その他の第１〜第３ダイオードのアノードに関しても同様である。
【００２６】
ノードｎｄ１は、第１ダイオード１２２、１２４、及び１２６等のカソードの相互の接続ノードである。ノードｎｄ２は、第２ダイオード１３２のカソードと第１負荷回路の入力端子との接続ノードである。ノードｎｄ３は、第３ダイオード１４２のカソードとマイコン９００の出力ポートＰＯＲＴ  １との接続ノードである。ノードｎｄ４は、第１ダイオード１２２、第２ダイオード１３２及び第３ダイオード１４２のアノードの接続ノードである。
【００２７】
第１ダイオード１２２、１２４、及び１２６等の順方向電圧Ｖｆａ（例えば、第１ダイオード１２２におけるノードｎｄ１に対するノードｎｄ４の電圧）は、第２ダイオード１３２、１３４、及び１３６等の順方向電圧Ｖｆｂ（例えば、第２ダイオード１３２におけるノードｎｄ２に対するノードｎｄ４の電圧）よりも小さく（Ｖｆａ＜Ｖｆｂ）なるように、各ダイオードが選択されている。これは、後述するように、適正な電源電圧が供給されない場合に、制御線（ノードｎｄ４等）の電流が確実に電源監視ＩＣ１１０に流れ込み、第１〜第Ｎ負荷回路９１０が動作することを防止するためである。
【００２８】
また、第３ダイオード１４２、１４４、及び１４６等の順方向電圧Ｖｆｃ（例えば、第３ダイオード１４２におけるノードｎｄ３に対するノードｎｄ４の電圧）は、第２ダイオード１３２、１３４、及び１３６等の順方向電圧Ｖｆｂよりも小さく（Ｖｆｃ＜Ｖｆｂ）なるように、各ダイオードが選択されている。これは、マイコン９００が、制御線（ノードｎｄ４等）をローレベルに駆動したときに、制御線の電流が確実にマイコン９００側に流れるようにし、第１〜第Ｎ負荷回路９１０が動作することを防止するためである。
【００２９】
また、第３ダイオード１４２、１４４、及び１４６等は、マイコン９００の出力ポートを保護するために設けられている。第３ダイオード１４２、１４４、及び１４６等がなければ、第１ダイオード１２２、１２４、及び１２６等によってマイコン９００の出力ポートが直接ローレベルになると、マイコン９００が故障する可能性がある。これを防止するために、第３ダイオード１４２、１４４、及び１４６等を設け、それらの各アノードを、抵抗Ｒ１〜ＲＮを介して電源電圧Ｖｃｃにプルアップしている。
【００３０】
以下に、図５を参照して、電源電圧Ｖｃｃのレベルに応じた誤動作防止回路１００の動作を説明する。
【００３１】
図５において、電源がオンされると、電源電圧Ｖｃｃは０からマイコン９００の最小動作電圧Ｖｍｉｎまで上昇する（期間ｔ１）。期間ｔ１においては、Ｖｃｃ＝Ｖｉｎ≦Ｖｍｉｎ＜Ｖｔｈであるので、電源監視ＩＣ１１０のリセット端子ＲＥＳＥＴはローレベルに設定され、ノードｎｄ１はローレベルになる。仮に、マイコン９００内部が不安定であることによって、出力ポートＰＯＲＴ  １〜ＰＯＲＴ  Ｎがハイレベルに設定された場合、第１ダイオードがオンし、制御線（例えばノードｎｄ４）はローレベルになる。なお、抵抗Ｒ１〜ＲＮによって、より確実に各制御線が接地される。即ち、直列接続された各抵抗Ｒ１〜ＲＮと第１ダイオード群１２０の各ダイオードとの両端（例えば、直列接続された抵抗Ｒ１及び第１ダイオード１２２の両端）には、電源Ｖｃｃ及び接地電圧（０Ｖ）が印加され、所定の電流が流れ、各制御線（例えばノードｎｄ４）は所定のローレベルに設定される。このように、マイコン９００内部が不安定であることによって、出力ポートＰＯＲＴ  １〜ＰＯＲＴ  Ｎがハイレベルに設定されたとしても、各制御信号Ｖｐｏｒｔ（例えばノードｎｄ４）は所定のローレベルに維持され（図５における左側の１点鎖線で囲んだ部分参照）、第１〜第Ｎ負荷回路９１０にハイレベルの制御信号が入力されることはない。１点鎖線内には、図２で示したＶｐｏｒｔの異常電圧レベルを破線で示す。
【００３２】
電源電圧が、マイコン９００の最小動作電圧Ｖｍｉｎよりもさらに上昇（Ｖｃｃ＞Ｖｍｉｎ）しても、Ｖｃｃ＝Ｖｉｎ≦Ｖｔｈである期間ｔ３においては、電源監視ＩＣ１１０のリセット端子ＲＥＳＥＴはローレベルに維持されているので、上記と同様に、各制御線ン（例えばノードｎｄ４）はローレベルに維持され、第１〜第Ｎ負荷回路９１０にハイレベルの制御信号が入力されることはない。なお、電源電圧Ｖｃｃが、Ｖｃｃ≧Ｖｍｉｎとなると、マイコン９００は安定して動作するので、意図せず出力ポートＰＯＲＴ  １〜ＰＯＲＴ  Ｎがハイレベルに設定されることはない。
【００３３】
その後、電源電圧Ｖｃｃが検出電圧Ｖｔｈより大きくなると（Ｖｃｃ＝Ｖｉｎ＞Ｖｔｈ）、電源監視ＩＣ１１０のリセット端子ＲＥＳＥＴはローレベルになることはない。したがって、各制御線（例えばノードｎｄ４）はローレベルに設定されないので、電源電圧Ｖｃｃが、最大動作電圧Ｖｍａｘ以下の設計された動作電圧Ｖｏｐ（Ｖｔｈ≦Ｖｏｐ≦Ｖｍａｘ）になれば、マイコン９００は、所定のプログラムにしたがって第１〜第Ｎ負荷回路９１０を制御することができる。例えば、図４の回路が画像形成装置に装備されていれば、マイコン９００は、画像形成装置の所定の機能を実現するためのプログラムを実行し、その機能を実現するために必要な内部ユニット（負荷回路）を制御するための制御信号を生成して、出力ポートＰＯＲＴ  １〜ＰＯＲＴ  Ｎから出力する。
【００３４】
一方、電源がオフされた場合、電源電圧Ｖｃｃは、マイコン９００の動作電圧Ｖｏｐから低下する。電源電圧Ｖｃｃが低下しても、Ｖｔｈ＜Ｖｃｃ≦Ｖｏｐであれば、マイコン９００は正常に動作するので、意図せず出力ポートＰＯＲＴ  １〜ＰＯＲＴ  Ｎがハイレベルに設定されることはない。
【００３５】
その後、動作電圧Ｖｃｃが検出電圧Ｖｔｈ以下になると（Ｖｃｃ＝Ｖｉｎ≦Ｖｔｈ）、上記したように、電源監視ＩＣ１１０のリセット端子ＲＥＳＥＴはローレベルに設定され、ノードｎｄ１はローレベルになるので、各制御線（例えばノードｎｄ４）はローレベルになり（図５において右側の１点鎖線で囲んだ部分参照）、第１〜第Ｎ負荷回路９１０にハイレベルの制御信号が入力されることはない。この状態は、電源電圧Ｖｃｃがさらに低下して、Ｖｃｃ＝０になるまでの期間ｔ２（０≦Ｖｃｃ≦Ｖｍｉｎ）において維持される。即ち、仮に、マイコン９００内部が不安定であることによって、出力ポートＰＯＲＴ  １〜ＰＯＲＴ  Ｎがハイレベルに設定されたとしても、各制御線（例えばノードｎｄ４）はローレベルに維持され、第１〜第Ｎ負荷回路９１０にハイレベルの制御信号が入力されることはない。
【００３６】
このように、誤動作防止回路１００によって、図５の期間ｔ３及び期間ｔ４において、マイコン９００内部が不安定であることによって、出力ポートＰＯＲＴ  １〜ＰＯＲＴ  Ｎがハイレベルに設定されたとしても、その信号が第１〜第Ｎ負荷回路９１０に入力されることはなく、第１〜第Ｎ負荷回路９１０の誤動作を防止することができる。
【００３７】
検知電圧Ｖｔｈは、マイコン９００の最小動作電圧Ｖｍｉｎ、及び供給される電源電圧Ｖｃｃ（動作電圧Ｖｏｐ）に応じて、適切に設定される。例えば、マイコン９００の最小動作電圧Ｖｍｉｎが２．６Ｖであり、電源電圧Ｖｃｃが３．０Ｖ〜３．６Ｖの範囲で供給される場合（Ｖｏｐ＝３．０〜３．６（Ｖ））、検知電圧Ｖｔｈは、２．６Ｖ〜３．０Ｖの間の値に設定されることが好ましい。
【００３８】
上記では、第１ダイオード群１２０及び第３ダイオード群１４０をショットキーバリアダイオードで構成し、第２ダイオード群１３０をＰＮダイオードで構成する場合を説明したが、これに限定されない。他の種類のダイオードを用いて、誤動作防止回路を構成してもよい。第１及び第２ダイオードの通電時に、制御線（例えばノードｎｄ４）と第１ダイオードの制御線に接続されていない端子（ノードｎｄ１）との間の電圧が、制御線と第２ダイオードの制御線に接続されていない端子（例えばノードｎｄ２）との間の電圧よりも小さくなるように、第１及び第２ダイオードを決定すればよい。また、第１及び第３ダイオードの通電時に、制御線（例えばノードｎｄ４）と第３ダイオードの制御信号ラインに接続されていない端子（例えばノードｎｄ３）との間の電圧が、制御線（例えばノードｎｄ４）と第２ダイオードの制御線に接続されていない端子（例えばノードｎｄ２）との間の電圧よりも小さくなるように、第２及び第３ダイオードを決定すればよい。
【００３９】
なお、第１〜第３ダイオードの通電時とは、ノードｎｄ４からノードｎｄ１〜ｎｄ３に向かって電流が流れる場合を意味し、このとき印加される電圧はダイオードの順方向電圧に限定されず、逆方向電圧であってもよい。例えば、ツェナーダイオード（定電圧ダイオード）のツェナー電圧（逆方向電圧）を用いる場合、誤動作防止回路を図６に示すように構成することができる。
【００４０】
図６を参照して、誤動作防止回路２００が、図４の誤動作防止回路１００と異なる点は、第１ダイオード群１２０、第２ダイオード群１３０、及び第３ダイオード群１４０がそれぞれ、第１ツェナーダイオード群２２０、第２ツェナーダイオード群２３０、及び第３ツェナーダイオード群２４０で置換えられているだけである。
【００４１】
即ち、第１ツェナーダイオード２２２、２２４、及び２２６等のアノードは全て、電源監視ＩＣ１１０のリセット端子ＲＥＳＥＴに接続されている。第２ツェナーダイオード２３２、２３４、及び２３６等のカソードはそれぞれ、第１〜第Ｎ負荷回路９１０の制御入力端子に接続されている。
【００４２】
第３ツェナーダイオード２４２、２４４、及び２４６等のアノードは、マイコン９００の各出力ポートＰＯＲＴ  １〜ＰＯＲＴ  Ｎに接続され、カソードは、各抵抗Ｒ１〜ＲＮを介して電源に接続され、電圧Ｖｃｃが供給される。第１〜第３ツェナーダイオード群の対応するツェナーダイオードのカソードは相互に接続されている。例えば、第１ツェナーダイオード２２２、第２ツェナーダイオード２３２及び第３ツェナーダイオード２４２のカソードは相互に接続されている。また、第１ツェナーダイオード２２４、第２ツェナーダイオード２３４及び第３ツェナーダイオード２４４のカソードは相互に接続されている。その他の第１〜第３綱ツェナーダイオードのカソードに関しても同様である。
【００４３】
ノードｎｄ１は、第１ツェナーダイオード２２２、２２４、及び２２６等のアノードの相互の接続ノードである。ノードｎｄ２は、第２ツェナーダイオード２３２のアノードと第１負荷回路の入力端子との接続ノードである。ノードｎｄ３は、第３ツェナーダイオード２４２のアノードとマイコン９００の出力ポートＰＯＲＴ  １との接続ノードである。ノードｎｄ４は、第１ツェナーダイオード２２２、第２ツェナーダイオード２３２及び第３ツェナーダイオード２４２のカソードの接続ノードである。
【００４４】
第１ツェナーダイオード２２２、２２４、及び２２６等のツェナー電圧Ｖｚａ（例えば、第１ツェナーダイオード２２２におけるノードｎｄ１に対するノードｎｄ４の電圧）は、第２ツェナーダイオード２３２、２３４、及び２３６等のツェナー電圧Ｖｚｂ（例えば、第２ツェナーダイオード２３２におけるノードｎｄ２に対するノードｎｄ４の電圧）よりも小さく（Ｖｚａ＜Ｖｚｂ）なるように、各ツェナーダイオードが選択されている。これは、誤動作防止回路１００に関して上記したように、適正な電源電圧が供給されない場合に、ノードｎｄ４等の制御線の電流が確実に電源監視ＩＣ１１０側に流れ込み、第１〜第Ｎ負荷回路９１０が動作することを防止するためである。
【００４５】
また、第３ツェナーダイオード２４２、２４４、及び２４６等のツェナー電圧Ｖｚｃ（例えば、第３ツェナーダイオード２４２におけるノードｎｄ３に対するノードｎｄ４の電圧）は、第２ツェナーダイオード２３２、２３４、及び２３６等のツェナー電圧Ｖｚｂよりも小さく（Ｖｚｃ＜Ｖｚｂ）なるように、各ツェナーダイオードが選択されている。これは、誤動作防止回路１００に関して上記したように、マイコン９００が、制御線（ノードｎｄ４等）をローレベルに駆動したときに、制御線の電流が確実にマイコン９００側に流れるようにし、第１〜第Ｎ負荷回路９１０が動作することを防止するためである。
【００４６】
図６の誤動作防止回路２００によって、図５の期間ｔ３及び期間ｔ４において、マイコン９００内部が不安定であることによって、出力ポートＰＯＲＴ  １〜ＰＯＲＴ  Ｎがハイレベルに設定されたとしても、その信号が第１〜第Ｎ負荷回路９１０に入力されることはなく、第１〜第Ｎ負荷回路９１０の誤動作を防止することができる。
【００４７】
（第２の実施の形態）
負荷回路を制御するための制御線が多い場合、図４の誤動作防止回路１００では、電源監視ＩＣ１１０によって、全ての制御線を十分にローレベルに設定することができない可能性がある。本発明の第２の実施の形態に係る誤動作防止回路では、負荷回路を制御するための制御線が多い場合でも、１つの電源監視ＩＣによって、全ての制御線をローレベルに設定するための電流増幅回路を備えている。
【００４８】
具体的には、図７を参照して、第２の実施の形態に係る誤動作防止回路３００は、図４の誤動作防止回路１００の回路要素に加えて、第１トランジスタ３１０、第２トランジスタ３１２、及び抵抗Ｒ２０〜Ｒ２２を備えている。誤動作防止回路３００では、誤動作防止回路１００と異なり、第１ダイオード１２２、１２４、及び１２６等のカソードの相互の接続ノードｎｄ１は、第２トランジスタ３１２のコレクタに接続されている。
【００４９】
第１トランジスタ３１０は、エミッタが接地され、コレクタが抵抗Ｒ２１の一端に接続され、ベースが電源監視ＩＣ１１０のリセット端子ＲＥＳＥＴ及び抵抗Ｒ２０の一端に接続されている。第２トランジスタ３１２は、エミッタが接地され、コレクタがノードｎｄ１及び抵抗Ｒ２２の一端に接続され、ベースが第１トランジスタ３１０のコレクタに接続されている。抵抗Ｒ２０〜Ｒ２２の他端は全て電源ラインに接続され、電源電圧Ｖｃｃが印加される。
【００５０】
誤動作防止回路３００は、電源ラインから供給される電圧Ｖｃｃの変化に応じて、誤動作防止回路１００と同様に動作し、図５に示すように、期間ｔ３及び期間ｔ４において、マイコン９００内部が不安定であることによって、出力ポートＰＯＲＴ  １〜ＰＯＲＴ  Ｎがハイレベルに設定されたとしても、その信号が第１〜第Ｎ負荷回路９１０に入力されることはなく、第１〜第Ｎ負荷回路９１０の誤動作を防止することができる。
【００５１】
図５において、電源がオンされると、電源電圧Ｖｃｃは０からマイコン９００の最小動作電圧Ｖｍｉｎまで上昇する（期間ｔ１）。期間ｔ１においては、Ｖｃｃ＝Ｖｉｎ≦Ｖｍｉｎ＜Ｖｔｈであるので、電源監視ＩＣ１１０のリセット端子ＲＥＳＥＴはローレベルに設定され、第１トランジスタ３１０のベースがローレベルになる。これによって、第１トランジスタ３１０はオフし、第１トランジスタ３１０のコレクタ、即ち第２トランジスタ３１２のベースは、ハイレベルになり、第２トランジスタ３１２がオンする。第２トランジスタ３１２がオンすると、ノードｎｄ１は接地されるので、誤動作防止回路１００と同様に、各制御線（例えばノードｎｄ４）はローレベルに設定される。したがって、仮に、マイコン９００内部が不安定であることによって、出力ポートＰＯＲＴ  １〜ＰＯＲＴ  Ｎがハイレベルに設定されたとしても、各制御線（例えばノードｎｄ４）は所定のローレベルに維持され、第１〜第Ｎ負荷回路９１０にハイレベルの制御信号が入力されることはない。
【００５２】
電源電圧が、マイコン９００の最小動作電圧Ｖｍｉｎよりもさらに上昇（Ｖｃｃ＞Ｖｍｉｎ）しても、Ｖｃｃ＝Ｖｉｎ≦Ｖｔｈである期間ｔ３においては、電源監視ＩＣ１１０のリセット端子ＲＥＳＥＴはローレベルに設定され、第１トランジスタ３１０はオフを維持するので、上記と同様に、各制御線（例えばノードｎｄ４）は所定のローレベルに維持され、第１〜第Ｎ負荷回路９１０にハイレベルの制御信号が入力されることはない。
【００５３】
その後、電源電圧Ｖｃｃが検出電圧Ｖｔｈより大きくなると、電源監視ＩＣ１１０のリセット端子ＲＥＳＥＴはローレベルになることはない（Ｖｃｃ＝Ｖｉｎ＞Ｖｔｈ）。したがって、第１トランジスタ３１０のベースが、抵抗Ｒ２０を介してハイレベルにプルアップされ、第１トランジスタ３１０はオンする。これによって、第２トランジスタ３１２のベースがローレベルになり、第２トランジスタ３１２はオフし、ノードｎｄ１は抵抗Ｒ２２を介してハイレベルに設定される。したがって、各制御線（例えばノードｎｄ４）はローレベルに設定されないので、電源電圧Ｖｃｃが、最大動作電圧Ｖｍａｘ以下の動作電圧Ｖｏｐ（Ｖｔｈ≦Ｖｏｐ≦Ｖｍａｘ）になれば、マイコン９００は、所定のプログラムにしたがって第１〜第Ｎ負荷回路９１０を制御することができる。
【００５４】
一方、電源がオフされた場合、電源電圧Ｖｃｃは、マイコン９００の動作電圧Ｖｏｐから低下するが、Ｖｔｈ＜Ｖｃｃ≦Ｖｏｐであれば、マイコン９００は正常に動作するので、意図せず出力ポートＰＯＲＴ  １〜ＰＯＲＴ  Ｎがハイレベルに設定されることはない。その後、動作電圧Ｖｃｃが検出電圧Ｖｔｈ以下になると（Ｖｃｃ＝Ｖｉｎ≦Ｖｔｈ）、電源監視ＩＣ１１０のリセット端子ＲＥＳＥＴはローレベルに設定され、第１トランジスタ３１０はオフするので、上記したように、各制御線（例えばノードｎｄ４）は所定のローレベルに維持され、第１〜第Ｎ負荷回路９１０にハイレベルの制御信号が入力されることはない。この状態は、電源電圧Ｖｃｃがさらに低下して、Ｖｃｃ＝０になるまでの期間ｔ２（０≦Ｖｃｃ≦Ｖｍｉｎ）においても維持される。即ち、仮に、マイコン９００内部が不安定であることによって、出力ポートＰＯＲＴ  １〜ＰＯＲＴ  Ｎがハイレベルに設定されたとしても、各制御線（例えばノードｎｄ４）は所定のローレベルに維持され、第１〜第Ｎ負荷回路９１０にハイレベルの制御信号が入力されることはない。
【００５５】
このように、誤動作防止回路３００によって、図５の期間ｔ３及び期間ｔ４において、マイコン９００内部が不安定であることによって、出力ポートＰＯＲＴ  １〜ＰＯＲＴ  Ｎがハイレベルに設定されたとしても、その信号が第１〜第Ｎ負荷回路９１０に入力されることはなく、第１〜第Ｎ負荷回路９１０の誤動作を防止することができる。この場合、誤動作防止回路３００は、第１トランジスタ３１０及び第２トランジスタ３１２を備えているので、それらの増幅作用によって、より多くの制御線をローレベルに設定することができる。
【００５６】
例えば、図７において、電源監視ＩＣ１１０の引込み電流の最大値が１０ｍＡ、第１トランジスタ３１０及び第２トランジスタ３１２の増幅率が５０、抵抗Ｒ２０が５００Ω、抵抗Ｒ２１が１０Ωであるとし、電源電圧Ｖｃｃとして５Ｖが供給されるとする。図７には、電流を破線の矢印で示している。なお、第１トランジスタ３１０及び第２トランジスタ３１２のオン時のベース−エミッタ間電圧Ｖｂｅ及びコレクタ−エミッタ間電圧Ｖｃｅに関しては、Ｖｂｅ＝Ｖｃｅ＝０（Ｖ）と仮定する。
【００５７】
電源監視ＩＣ１１０が作動し、リセット端子ＲＥＳＥＴがローレベルに設定されている状態では、第１トランジスタ３１０がオフしているので電流ｉ２は流れず、電流ｉ１が流れ、その最大値は、電源監視ＩＣ１１０の特性により１０ｍＡである。このとき、第２トランジスタ３１２はオンしており、電流ｉ４及びｉ５が流れる。ｉ４＝５（Ｖ）／１０（Ω）＝５００（ｍＡ）であり、増幅率が５０であるので、ｉ５＝２５０００（ｍＡ）＝２５（Ａ）となる。したがって、図４のように電源監視ＩＣ１１０のみを使用して、ノードｎｄ１から電流を引込む場合の電流値（最大１０ｍＡ）に対して、図７のように第１トランジスタ３１０及び第２トランジスタ３１２を備えることによって、２５００倍の電流値（最大２５Ａ）を、ノードｎｄ１から引込む（接地に流す）ことができる。
【００５８】
なお、電源監視ＩＣ１１０が動作していないときには、リセット端子ＲＥＳＥＴはローレベルに設定されないので、第１トランジスタ３１０がオンし、第２トランジスタ３１２がオフする。このとき、電流ｉ２及びｉ３が流れ、ｉ２＝５（Ｖ）／５００（Ω）＝１０（ｍＡ）であり、ｉ３＝５００（ｍＡ）（増幅率５０）となる。
【００５９】
上記では、電源監視ＩＣによる引込み電流を増大させるために通常のトランジスタを備える場合を説明したが、これに限定されず、例えばＦＥＴ（電界効果トランジスタ）を用いてもよい。
【００６０】
（第３の実施の形態）
第１及び第２の実施の形態では、マイコンに供給される電源電圧がマイコンの最小動作電圧よりも小さい場合に、マイコンが不安定であることにより発生する負荷回路の誤動作を防止する場合を説明したが、これに限定されない。本発明の第３の実施の形態では、マイコンの最大動作電圧Ｖｍａｘを超える電源電圧が印加されたことより、マイコンが破壊される等して、マイコンが意図しない動作をすることにより発生する負荷回路の誤動作を防止する。
【００６１】
具体的には、図８を参照して、第３の実施の形態に係る誤動作防止回路４００は、図４の誤動作防止回路１００の回路要素に加えて、過電圧検出用電源監視ＩＣ４１０を備えている。
【００６２】
過電圧検出用電源監視ＩＣ４１０は、電源監視ＩＣ１１０と同様に、入力される電圧レベルを監視するＩＣであるが、電源監視ＩＣ１１０とは逆の動作を行なう。即ち、過電圧検出用電源監視ＩＣ４１０は、監視対象の入力電圧Ｖｉｎを検出電圧と比較し、入力電圧Ｖｉｎが検出電圧以上であれば、ローレベルのリセット信号を出力する。過電圧検出用電源監視ＩＣ４１０の監視対象の電圧の入力端子Ｖｉｎには、電源電圧Ｖｃｃが入力され、リセット端子ＲＥＳＥＴは、ノードｎｄ１に接続されている。
【００６３】
電源監視ＩＣ１１０の検出電圧をＶｔｈ１、過電圧検出用電源監視ＩＣ４１０の検出電圧をＶｔｈ２とする。即ち、過電圧検出用電源監視ＩＣ４１０は、Ｖｃｃ≦Ｖｔｈ１であれば、リセット端子ＲＥＳＥＴをローレベルに設定し、過電圧検出用電源監視ＩＣ４１０は、Ｖｃｃ≧Ｖｔｈ２であれば、リセット端子ＲＥＳＥＴをローレベルに設定する。検出電圧Ｖｔｈ１は、マイコン９００の最小動作電圧Ｖｍｉｎ以上（Ｖｔｈ１≧Ｖｍｉｎ）に設定され、検出電圧Ｖｔｈ２は、マイコン９００の最大動作電圧Ｖｍａｘ以下（Ｖｔｈ２≦Ｖｍａｘ）に設定されている。
【００６４】
これによって、何らかの原因によって電源電圧Ｖｃｃが検出電圧Ｖｔｈ２以上（Ｖｃｃ≧Ｖｔｈ２）になれば、過電圧検出用電源監視ＩＣ４１０はノードｎｄ１をローレベルに設定するので、マイコン９００の異常によって出力ポートＰＯＲＴ  １〜ＰＯＲＴ  Ｎがハイレベルに設定されたとしても、制御線はローレベルに設定される。したがって、第１〜第Ｎ負荷回路９１０が誤動作することを防止することができる。
【００６５】
一方、電源電圧Ｖｃｃが、検出電圧Ｖｔｈ１以下（０≦Ｖｃｃ≦Ｖｔｈ１）であれば、第１の実施の形態に係る誤動作防止回路１００と同様に、電源監視ＩＣ１１０によって、ノードｎｄ１をローレベルに設定することができる。電源電圧ＶｃｃがＶｔｈ１より大きくＶｔｈ２より小さければ（Ｖｔｈ１＜Ｖｃｃ＜Ｖｔｈ２）、ノードｎｄ１は、電源監視ＩＣ１１０及び過電圧検出用電源監視ＩＣ４１０の何れによっても、ローレベルに設定されることはないので、マイコン９００は通常通り動作することができる。
【００６６】
以上のように、図８の誤動作防止回路４００によって、図５の期間ｔ３及び期間ｔ４において、マイコン９００内部が不安定であることによって、出力ポートＰＯＲＴ  １〜ＰＯＲＴ  Ｎがハイレベルに設定されたとしても、その信号が第１〜第Ｎ負荷回路９１０に入力されることはなく、第１〜第Ｎ負荷回路９１０の誤動作を防止することができる。これに加えて、誤動作防止回路４００では、何らかの原因によって電源電圧Ｖｃｃがマイコン９００の最大動作電圧Ｖｍａｘを超えた場合にも、マイコン９００の出力ポートＰＯＲＴ  １〜ＰＯＲＴ  Ｎがハイレベルに設定されたとしても、その信号が第１〜第Ｎ負荷回路９１０に入力されることはなく、第１〜第Ｎ負荷回路９１０の誤動作を防止することができる。
【００６７】
上記では、入力電圧Ｖｉｎが検出電圧Ｖｔｈ２以上であれば、過電圧検出用電源監視ＩＣ４１０が、リセット端子ＲＥＳＥＴをローレベルに設定する場合を説明したが、電源監視ＩＣ１１０と同様のＩＣを使用してもよい。その場合、検出電圧Ｖｔｈ２を境界として、リセット端子ＲＥＳＥＴのレベルを反転させるための回路、例えば図９のような回路を備えればよい。即ち、図８において、過電圧検出用電源監視ＩＣ４１０を、図９の電源監視ＩＣ１１２、第３トランジスタ３１４、抵抗Ｒ２３、及び抵抗Ｒ２４で置換える。
【００６８】
図９において、第３トランジスタ３１４は、ベースが電源監視ＩＣ１１２のリセット端子ＲＥＳＥＴに接続され、エミッタが接地され、コレクタがノードｎｄ１に接続されている。第３トランジスタ３１４のベース及びコレクタは、それぞれ抵抗Ｒ２３及びＲ２４を介して電源電圧Ｖｃｃにプルアップされている。電源監視ＩＣ１１２の検出電圧は、過電圧検出用電源監視ＩＣ４１０と同じＶｔｈ２（Ｖｔｈ２≦Ｖｍａｘ）である。
【００６９】
電源電圧Ｖｃｃが、Ｖｔｈ２以上（Ｖｃｃ≧Ｖｔｈ２）であれば、電源監視ＩＣ１１２はリセット端子ＲＥＳＥＴをローレベルに設定しないので、第３トランジスタ３１４はオンし、ノードｎｄ１をローレベルに設定することができる。Ｖｔｈ２≦Ｖｍａｘであるので、電源電圧Ｖｃｃが最大動作電圧Ｖｍａｘを超えると、ノードｎｄ１がローレベルに設定され、制御線がローレベルに設定されるので、負荷回路が誤動作することを防止することができる。
【００７０】
なお、電源電圧ＶｃｃがＶｔｈ１以下（Ｖｃｃ≦Ｖｔｈ１）であれば、電源監視ＩＣ１１０がリセット端子ＲＥＳＥＴをローレベルに設定することにより、ノードｎｄ１がローレベルに設定される。したがって、電源電圧Ｖｃｃが最小動作電圧Ｖｍｉｎ以下になると、ノードｎｄ１がローレベルに設定され、制御線をローレベルに設定されるので、負荷回路が誤動作することを防止することができる。電源電圧ＶｃｃがＶｔｈ１より大きくＶｔｈ２より小さければ（Ｖｔｈ１＜Ｖｃｃ＜Ｖｔｈ２）、ノードｎｄ１は、電源監視ＩＣ１１０及び１１２の何れによっても、ローレベルに設定されないので、マイコン９００は正常に動作することができる。
【００７１】
図８の誤動作防止回路４００において、第１ダイオード群１２０、第２ダイオード群１３０、及び第３ダイオード群１４０をそれぞれ、図６の第１ツェナーダイオード群２２０、第２ツェナーダイオード群２３０、及び第３ツェナーダイオード群２４０で置換えてもよい。
【００７２】
また、図８の誤動作防止回路４００において、電源監視ＩＣ１１０とノードｎｄ１との間、及び、過電圧検出用電源監視ＩＣ４１０とノードｎｄ１との間に、図７の誤動作防止回路３００のように、第１トランジスタ３１０及び第２トランジスタ３１２により構成される回路を備えてもよい。これによって、引込む電流量を増大することができ、より多くの負荷回路の誤動作を防止することができる。
【００７３】
上記した誤動作防止回路１００〜４００では、第１〜第Ｎ負荷回路９１０の各々が１本の制御線で制御されるが、これに限定されない。第１〜第Ｎ負荷回路９１０の各々が複数本の制御線で制御されてもよい。
【００７４】
上記では、マイコンが負荷回路を制御するが、これに限定されない。ＣＰＵ等の半導体ＩＣ、又はＩＣでない制御回路で負荷回路を制御する場合にも、本発明を適用することができる。
【００７５】
上記の誤動作防止回路１００〜４００は、画像形成装置への適用に限定されず、マイコンによって制御される複数の負荷回路を備えた任意の装置に適用することができる。
【００７６】
以上、実施の形態を説明することにより本発明を説明したが、上記した実施の形態は例示であって、本発明は上記した実施の形態に限定されるものではなく、種々変更して実施することができる。
【符号の説明】
【００７７】
１００、２００、３００、４００    誤動作防止回路
１１０、１１２    電源監視ＩＣ
４１０    過電圧検出用電源監視ＩＣ
１２０    第１ダイオード群
１３０    第２ダイオード群
１４０    第３ダイオード群
１２２、１２４、１２６    第１ダイオード
１３２、１３４、１３６    第２ダイオード
１４２、１４４、１４６    第３ダイオード
２２０    第１ツェナーダイオード群
２３０    第２ツェナーダイオード群
２４０    第３ツェナーダイオード群
２２２、２２４、２２６    第１ツェナーダイオード
２３２、２３４、２３６    第２ツェナーダイオード
２４２、２４４、２４６    第３ツェナーダイオード
３１０    第１トランジスタ
３１２    第２トランジスタ
３１４    第３トランジスタ
９００    マイコン
９１０    第１〜第Ｎ負荷回路
Ｒ１〜ＲＮ、Ｒ２０〜Ｒ２４    抵抗
【図１】
2015052961.tif 000003
【図２】
2015052961.tif 000004
【図３】
2015052961.tif 000005
【図４】
2015052961.tif 000006
【図５】
2015052961.tif 000007
【図６】
2015052961.tif 000008
【図７】
2015052961.tif 000009
【図８】
2015052961.tif 000010
【図９】
2015052961.tif 000011